(57)【特許請求の範囲】
【請求項１】
被検眼の視機能を測定する測定手段を有する測定ユニットと、アライメント状態を検出するアライメント状態検出手段を含み、被検眼に対して測定ユニットをアライメントするアライメント手段と、を備える眼科装置において、所定の測定有効条件を充足する測定データ数を定めて、測定を終了させる条件を設ける終了条件を設ける終了条件設定手段と、前記アライメント状態検出手段の検出結果に基づいてアライメント完了状態にあると判定されると自動的にトリガ信号を発して測定を開始するオートショット制御手段と、測定エラーが所定数続いたときは、測定を停止するとともに測定を停止したことをモニタに表示する測定停止制御手段と、前記アライメント状態検出手段の検出結果に基づいてアライメント完了が一旦外れた後、再度アライメント完了状態にあると判定されると測定停止を解除し、不足する測定データ数を得るべく測定を再開する測定再開制御手段と、を備えることを特徴とする眼科装置。
【請求項２】
被検眼の第１の視機能を測定する第１測定手段と第２の視機能を測定する第２測定手段を有する測定ユニットと、アライメント状態を検出するアライメント状態検出手段を含み、被検眼に対して測定ユニットをアライメントするアライメント手段とを備える眼科装置において、第１測定手段及び第２測定手段による各測定手段について所定の測定有効条件を充足する測定データ数を定めて、測定を終了させる条件を設ける終了条件設定手段と、前記アライメント状態検出手段の検出結果に基づいてアライメント完了状態にあると判定されると自動的にトリガ信号を発して測定を開始するオートショット制御手段と、測定エラーが所定数続いたときは、測定を停止するとともに測定を停止したことをモニタに表示する測定停止制御手段と、前記アライメント状態検出手段の検出結果に基づいてアライメント完了が一旦外れた後、再度アライメント完了状態にあると判定されると測定停止を解除し、不足する測定データ数を得るべく測定を再開させ、また測定エラーにより第１測定手段又は第２測定手段の一方の所定の測定有効条件を充足する測定データ数が得られないときは不足する測定手段による測定を実行する制御手段と、を備えることを特徴とする眼科装置。
【発明の詳細な説明】
【０００１】
【発明の属する技術分野】
本発明は被検眼の機能を測定する眼科装置に係り、殊に複数回の測定を行うのに好適な装置に関する。
【０００２】
【従来の技術】
眼屈折力測定装置や角膜曲率測定装置等の眼科装置は、被検眼に対して装置を所定の位置関係にアライメント調整して測定を行う。この種の装置による測定は、通常、同一被検眼で複数回の測定を行っている。例えば、眼屈折力測定では調節等の介入があると測定結果が変動しやすいので、複数回測定してその中から平均的なデ−タを求めたり、測定値が安定したところで測定を中止し、その時のデ−タを採用したりする。
【０００３】
また、眼屈折力測定と角膜曲率測定のように複数の測定機能を合わせ持つ複合装置も知られており、この装置ではそれぞれの測定機能による測定を同一被検眼で順次行うようになっている。
【０００４】
【発明が解決しようとする課題】
しかし、上記のように複数回の測定を行って平均的なデ−タを求めたりするときには、検者は何回測定を行ったかを数えたり、表示される測定値を確認して検査を終了するかどうかを判断する必要があり、手間であった。また、検者により得られる測定結果にバラツキがあるという問題があった。
【０００５】
測定値が安定したときのデータを採用しようとした場合、検者は測定ごとの測定結果を全て記憶したり、あるいは表示される測定結果を一々確認し、それを判断する必要があったので、検者は測定に集中できないという問題があった。
【０００６】
また、複数の測定機能を合わせ持つ複合装置では、一つの測定機能による測定が終了しても他の測定機能による測定が終了していないときには、測定が終了した方の測定機能による測定を再び繰り返してしまうため、全体の測定時間が長引くという欠点があった。測定時間が長いと被検眼を疲労させてしまい、得られる測定結果の精度に影響する。
【０００７】
本発明は、上記従来技術に鑑み、検者が測定回数を数えたり測定終了を判断したりすることなく測定に集中し、また、検者による測定終了の判断の差を無くして、精度の高い測定結果が得られる眼科装置を提供することを技術課題とする。
【０００８】
【課題を解決するための手段】
上記課題を解決するために、本発明は次のような構成を有することを特徴としている。
【０００９】
（１）  被検眼の視機能を測定する測定手段を有する測定ユニットと、アライメント状態を検出するアライメント状態検出手段を含み、被検眼に対して測定ユニットをアライメントするアライメント手段と、を備える眼科装置において、所定の測定有効条件を充足する測定データ数を定めて、測定を終了させる条件を設ける終了条件を設ける終了条件設定手段と、前記アライメント状態検出手段の検出結果に基づいてアライメント完了状態にあると判定されると自動的にトリガ信号を発して測定を開始するオートショット制御手段と、測定エラーが所定数続いたときは、測定を停止するとともに測定を停止したことをモニタに表示する測定停止制御手段と、前記アライメント状態検出手段の検出結果に基づいてアライメント完了が一旦外れた後、再度アライメント完了状態にあると判定されると測定停止を解除し、不足する測定データ数を得るべく測定を再開する測定再開制御手段と、を備えることを特徴とする。
【００１０】
（２）  被検眼の第１の視機能を測定する第１測定手段と第２の視機能を測定する第２測定手段を有する測定ユニットと、アライメント状態を検出するアライメント状態検出手段を含み、被検眼に対して測定ユニットをアライメントするアライメント手段とを備える眼科装置において、第１測定手段及び第２測定手段による各測定手段について所定の測定有効条件を充足する測定データ数を定めて、測定を終了させる条件を設ける終了条件設定手段と、前記アライメント状態検出手段の検出結果に基づいてアライメント完了状態にあると判定されると自動的にトリガ信号を発して測定を開始するオートショット制御手段と、測定エラーが所定数続いたときは、測定を停止するとともに測定を停止したことをモニタに表示する測定停止制御手段と、前記アライメント状態検出手段の検出結果に基づいてアライメント完了が一旦外れた後、再度アライメント完了状態にあると判定されると測定停止を解除し、不足する測定データ数を得るべく測定を再開させ、また測定エラーにより第１測定手段又は第２測定手段の一方の所定の測定有効条件を充足する測定データ数が得られないときは不足する測定手段による測定を実行する制御手段と、を備えることを特徴とする。
【００２１】
【実施例】
以下、本発明の一実施例として眼屈折力および角膜曲率を測定する機能を備える眼科装置を例に挙げ、図面に基づいて説明する。図１は実施例の装置の外観概略図を示す図である。
【００２２】
１は基台であり、基台１には被検者の顔を固定するための顔固定ユニット２が固設されている。顔固定ユニット２には顎台２ａが上下動可能に支持されており、顎台ノブ２ｂを回すことにより顎台２ａを上下させ被検眼の高さ位置を調節することができる。
【００２３】
３は本体部、４は後述する光学系を収納した測定部である。５は本体部３と測定部４を移動するためのジョイスティックであり、ジョイスティック５の操作により本体部３は基台１の水平面上をＺ方向（前後方向）およびＸ方向（左右方向）に摺動し、ジョイスティック５に設けられた回転ノブ５ａの操作により測定部４は本体部３に対してＹ方向（上下方向）に移動する（このジョイスティック機構の詳細については、本願出願人による特開平６−７２９２号を参照されたい）。また、測定部４は自動アライメントに対応できるように、本体部３に対してＸＹ方向に移動するようになっている（後述する）。
【００２４】
６は被検眼像や検者に報知する情報を表示するＴＶモニタである。７はジョイスティック５の頂部に設けられた測定開始スイッチである。
【００２５】
次に、装置の光学系の概略構成を図２に基づいて説明する。
【００２６】
１０は眼屈折力測定光学系を示す。１１は赤外領域に波長を持つ２個の測定用光源であり、光軸Ｌ1 を中心に回動可能に配置されている。１２は集光レンズであり、その前側焦点位置に光源１１が位置する。１３は測定用指標（スポット開口）を有し、被検眼Ｅの眼底と共役な位置に配置されるべく移動可能な測定用ターゲット板である。１４は投影レンズ、１５はビームスプリッタ、２０は対物レンズ、２１はビームスプリッタ、２２、２３はリレーレンズ、２４は被検眼Ｅの角膜と共役な位置に配置されている帯状の角膜反射除去マスク、２５はターゲット板１３とともに移動する移動レンズ、２６は結像レンズである。２７は測定用受光素子であり、受光素子２７は測定用光源１１および角膜反射除去マスク２４と同期して光軸を中心に回動する。
【００２７】
３０は固視標光学系を示す。３１はハーフミラー、３２は光軸上を移動可能な第１リレーレンズであり、第１リレーレンズ３２は光軸上を移動することによって被検眼の雲霧を行う。３３は第２リレーレンズ、３４は第２リレーレンズ３３の焦点位置に配置されている固視標、３５は集光レンズ、３６は照明ランプである。
【００２８】
４０ａ〜４０ｄは測定光軸Ｌ1 を中心として同一円周上に配置された４組の角膜曲率測定用の指標投影光学系である。指標投影光学系４０ａ、４０ｂは装置の水平方向に、指標投影光学系４０ｃ、４０ｄ（図２では図示を略している）は装置の垂直方向に、それぞれの投影光軸が測定光軸Ｌ1 に対し所定の角度で交わるように配置されている。４１ａ〜４１ｄは赤外光の光を出射する点光源、４２ａ〜４２ｄはコリメーティングレンズであり、被検眼に無限遠の指標を投影する。
【００２９】
４５は角膜曲率測定用の指標を検出する指標検出光学系であり、角膜曲率測定時に測定光軸Ｌ1 上に挿入されるミラー４６、ミラー４７、結像レンズ４８、２次元の受光素子４９を備える。
【００３０】
５０は視軸方向からアライメント指標を投影する指標投影光学系を示す。赤外光の光を出射する点光源５１からの光は、ハーフミラー３１、ビームスプリッタ２１を介して対物レンズ２０により平行光束とされた後、ビームスプリッタ１５により反射され、測定光軸Ｌ1 に沿って被検眼Ｅの正面から指標を投影する。
【００３１】
５４は作動距離検出のためのアライメント指標を投影する指標投影光学系である。この指標投影光学系５４は、前述の角膜曲率測定用の指標投影光学系の内、水平方向に配置された指標投影光学系４０ａ、４０ｂを共用し、さらに測定光軸Ｌ1 を挟んで水平方向に所定の角度（指標投影光学系４０ａ、４０ｂよりも狭い角度）で対称に配置された指標投影光学系５４ａ，５４ｂを備える。指標投影光学系５４ａ，５４ｂは赤外光の光を出射する点光源５５ａ，５５ｂを持ち、被検眼Ｅに有限遠の指標を投影する。
【００３２】
６０は観察光学系を示す。図示なき照明光源により照明された被検眼前眼像は、ビームスプリッタ１５で反射された後、対物レンズ６１、ミラー６２、テレセントリック絞り６３を介してＣＣＤカメラ６４に撮像される。また、観察光学系６０は被検眼に投影されたアライメント指標の検出光学系を兼ねている。
【００３３】
次に、装置の制御系の要部構成を図３に基づいて説明する。ＣＣＤカメラ６４からのビデオ信号は、Ａ／Ｄ変換器７１によりデジタル化され、タイミングジェネレータ７２の信号に同期してフレームメモリ７３に取り込まれる。フレームメモリ７３に取り込まれた画像は、Ｄ／Ａ変換回路７４、画像合成回路７５を介してＴＶモニタ６にリアルタイムに映出される。
【００３４】
７６はＴＶモニタ６上に表示するレチクルマークや図形、文字情報等を生成するための表示回路である（レチクルマークは光学的に作成してもよい）。表示回路７６からの信号は画像合成回路７５によりＣＣＤカメラ６４からの映像信号と合成され、ＴＶモニタ６に映出される。８４はフレ−ムメモリ７３に取り込まれた画像に所定の処理を施してアライメント指標像を検出する画像処理回路であり、制御部７０は画像処理回路８４からの信号により指標像の座標位置を得る。また、受光素子２７、４９からの各々の信号は、Ａ／Ｄ変換器７７、７８によりデジタル化された後、各検出処理回路７９、８０により所定の処理が施されて制御部７０に入力される。
【００３５】
９０は測定部４を本体部３に対してＸ方向に移動させるＸ駆動系、９１はＹ方向に移動させるＹ駆動系であり、各駆動系はスライド機構やモ−タ、モ−タの駆動回路等から構成される。
【００３６】
９３はメインスイッチ部であり、自動的にトリガ信号を発して測定を行うオ−トショット測定を行うか否かの切換えスイッチ、手動アライメントと自動アライメントのモ−ドを選択するアライメントモ−ド切換スイッチ、眼屈折力測定と角膜曲率測定を続けてまたは単独で行うかを選択する測定モ−ド切換スイッチ、測定デ−タをクリアにするリセットスイッチ等を持つ。９４は補助スイッチ部であり、各種の条件設定の変更や入力を行うためのスイッチを持つ。
【００３７】
以上のような装置における動作を説明する。ここでは、自動アライメントモ−ド、オ−トショット測定、及び眼屈折力測定と角膜曲率測定の連続測定を選択した場合について説明する（図４参照）。
【００３８】
検者は顔固定ユニット２に被検者の顔を位置させて被検眼を固定する。その後、ＴＶモニタ６に映出される前眼部像１００、レチクルマーク１０１、アライメント指標像１０２、１０３ａ〜１０３ｄを観察しながら（図５参照）、角膜中心の反射により形成された点光源５１の指標像１０２がレチクルマーク１０１に向かうように、ジョイスティック５と回転ノブ５ａの操作により粗いアライメントを行う。
【００３９】
ＣＣＤカメラ６４に５つのアライメント指標像が捉られるようになると、制御部７０は画像処理回路８４からの信号により点光源５１の指標像１０２を抽出処理してＸＹ方向の偏位量を得る。そして、その偏位情報に基づきＸ駆動系９０及びＹ駆動系９１を作動させて測定部４を移動し、得られる偏位が所定の許容範囲に入るようにしてＸＹ方向のアライメントを完了する。
【００４０】
ＸＹ方向のアライメントが完了したら、検者はジョイスティック５を操作して被検眼に対して測定部４を前後させ、作動距離のアライメント調整を行う。装置は指標投影光学系４０ａ、４０ｂ、５４ａ、５４ｂによる指標像を検出することにより、作動距離のアライメント状態を判定する。作動距離の検出は、指標投影光学系４０ａ、４０ｂによる指標像と、指標投影光学系５４ａ、５４ｂによる指標像との距離（像高さ）を比較することによりなされる。これは、無限遠光源と有限遠光源とにより角膜反射像を形成した場合、作動距離が変化しても無限遠光源による角膜反射像の像高さは変化しないが、有限遠光源による像高さは変化するという特性を利用するものである（この関係の詳細は本出願人による特開平６−４６９９９号を参照されたい）。
【００４１】
制御部７０は、Ｚ方向（作動距離）およびＸＹ方向のアライメント状態の判定に基づき所定のアライメント完了状態になると自動的にトリガ信号を発して測定を開始する（オ−トショット測定を行う）。実施例では、まず角膜曲率測定を先に行う。制御部７０は、ＤＣモータ８３を駆動してミラー４６を測定光軸Ｌ1 上に挿入し、アライメント用の点光源５１、５５ａ，５５ｂを消灯するとともに角膜曲率測定用の点光源４１ａ〜４１ｄを点灯させる。点光源４１ａ〜４１ｄによる反射光束は、ミラー４６、４７等によって受光素子４９に入射する。受光素子４９からの信号に基づき、制御部７０は角膜曲率を算出する。角膜曲率の測定は、本願出願人による特公平１−１９８９６号に記載されるように３点の指標像が検出されれば、角膜曲率を算出できる。
【００４２】
角膜曲率測定は、測定エラーを除いた測定値が所定数（例えば３個）得られるまで続けて行う。または、測定エラーに関係なく所定の測定回数（例えば３回）を行うように設定しても良い。角膜曲率測定は眼屈折力測定に比べて測定時間が短いので、初めに必要数を続けて行うと都合が良いからである。ＴＶモニタ６上には最新の測定値と得られた測定値の数が表示される。
【００４３】
所定数の測定値が得られると（または所定の測定回数が終了すると）、眼屈折力測定に移行する。制御部７０はミラー４６を光軸Ｌ1 上から退去させ、眼屈折力測定を自動的に開始する。測定用光源１１を出射した測定光束は、集光レンズ１２、ターゲット板１３、投影レンズ１４、ビームスプリッタ１５を経て、被検眼Ｅの角膜近傍に集光した後、眼底に到達する。眼底で反射したターゲット像は、ビームスプリッタ１５、対物レンズ２０、ビームスプリッタ２１、リレーレンズ２２、２３を通過後、結像レンズ２６によって受光素子２７上に結像する。被検眼に屈折異常がある場合は、受光素子２７で受光した眼底反射光の受光信号に基づき、制御部７０はＤＣモータ８２を駆動して移動レンズ２５とともにターゲット板１３を被検眼Ｅの眼底と共役な位置にくるように移動する。
【００４４】
次に、第１リレーレンズ３２を移動して固視標３４と被検眼Ｅの眼底とを共役な位置においた後、さらにこれを適当なディオプタ分だけ雲霧がかかるように移動させる。被検眼Ｅに雲霧がかかった状態で、測定用光源１１、角膜反射除去マスク２４及び受光素子２７を光軸回りに１８０度回転させる。回転中、受光素子２７からの信号によりターゲット板１３及び移動レンズ２５が移動し、その移動量をポテンショメータ８４が検出して各径線方向の屈折力値を求める。制御部７０は、この屈折力値に所定の処理を施すことによって被検眼の屈折力を得る。
【００４５】
制御部７０は１回の眼屈折力測定が終了するごとに、角膜曲率測定に再び移行するかを判断する。角膜曲率測定で測定エラ−を除いた所定数の測定値が既に得られていれば、角膜曲率測定は行わずに続けて眼屈折力測定に移る（角膜曲率測定で測定エラーに関係なく所定の測定回数分を行う設定の場合、所定数の測定値が得られていなければ再度角膜曲率測定になる）。このように複数の測定機能の内、測定が既に完了しているものがあれば、その測定は中止し、それ以外の測定のみを行うので、余分な測定を行わずに全体の測定時間を短縮できる。また、完了した側の測定機能が残りの測定機能の障害にならずにすむ。よって、被検眼の疲労を低減でき、より精度の高い測定が可能になる。
【００４６】
眼屈折力測定も測定エラーを除いた測定値が所定数（例えば３個）得られると、制御部７０は測定終了条件に達したと判断し、オ−トショット測定を終了する。そしてＴＶモニタ６上には片眼の測定終了を意味する「FINISH」の文字が表示される（または音声等により、測定終了を検者に知らせることもできる）。これにより、検者自身は測定回数や表示される測定値の数を一々確認して測定終了を判断することなく、ＴＶモニタ６上の表示（または音声）により即座に所定の条件の測定結果が得られたことを知ることができ、検者は被検眼の測定に集中することができる。
【００４７】
なお、角膜曲率測定や眼屈折力測定で測定エラ−が所定数（例えば６回）続いたときは、モニタ６上に「ERROR FINISH」を表示して検者に知らせると共に、測定を停止する。モニタ６上には角膜曲率測定と眼屈折力測定のそれぞれの測定回数（得られた測定値の数）が常に表示されるようになっているので、検者はその数を見て得られた測定値の数を知ることができる。この場合、測定値の数が設定された所定数に達しなかった方の表示を点滅させたり反転表示させたりすると、より分かりやすい。
【００４８】
「ERROR FINISH」が表示されたときは、検者は測定エラーの原因を取り除いた後、一旦ジョイスティック５の操作により被検眼とのアライメント完了を解除し、再度アライメント調整する。自動アライメントの作動によりアライメントが完了すると、オ−トショット測定が再開する（オ−トショット測定を行わないときは、そのまま測定開始スイッチ７を押すことにより測定が再開する）。このとき、角膜曲率測定及び眼屈折力測定の所定数に足りない分の測定のみを行い、それぞれ設定された所定数に達したところで「FINISH」を表示して、測定を終了する。
【００４９】
片眼の測定が終了したら、同様にもう一方の眼の測定を行う。左右両眼の測定値が角膜曲率と眼屈折力の測定において所定の測定終了条件になったところで、制御部７０は測定を終了し、プリンタ９５（又は接続された他の外部装置やＩＣカ−ド）にその測定デ−タを出力する。測定デ−タは複数回行った測定の平均値や中間値等の処理が施されるて出力される。
【００５０】
以上は、眼屈折力測定と角膜曲率測定の連続測定について説明したが、単独の測定を行うモ−ドを選択したときには、単独の測定モ−ドごとに装置が所定の測定終了条件に達した判断したときに「FINISH」の表示を行い、左右両眼の測定値が所定数得られれば測定を終了して測定デ−タを出力する。
【００５１】
また、自動アライメントやオ−トショット測定を行わないときも、所定の測定終了条件になったか否かについて、検者は「FINISH」の表示（又は音声）を確認するすれば良いので、アライメント調整や被検眼の観察に集中でき、結果的に精度の高い測定が容易に行える。なお、オ−トショット測定を使用せずに、検者が測定開始スイッチ７を押すことにより測定を行う場合、眼屈折力測定では測定開始スイッチ７が押し続けられている間、被検眼にかける雲霧量を前回のまま固定して連続測定を行う機能を持っており、その分測定を高速で行うことができる。この機能を使用する場合も、所定の測定終了条件になると眼屈折力測定が自動的に停止し、測定終了を検者に知らせるので、とくに都合が良い。
【００５２】
以上の実施例での同一被検眼における測定終了条件の判断は、得られる測定値の安定度（複数個得られる測定値のバラツキ具合がある条件に入っている度合い）により行うようにしても良い。角膜曲率測定の場合には、例えば、強主径線方向曲率Ｒ1 と弱主径線方向曲率Ｒ2 の各々が、１回前の測定値と比べて一定値（例えば、０．０４ｍｍ）以内のズレで、規定数以上（３個以上）の測定値が得られれば測定終了とする。あるいは、標準偏差を条件として、規定数得られた測定値の平均値から標準偏差を越えて外れた値がないか見る。無ければ有効な測定値が得られたものとして測定終了と判断する。平均値から標準偏差を越えて外れた値があるときは、その測定値は信頼性の低いデータとしてこれを除去し、さらに追加の測定を行う。そして再度同じ計算を行い、測定終了とするか追加の測定が必要かを判断する。
【００５３】
眼屈折力測定の場合には、Ｓ値（球面度数）とＣ値（柱面度数）との各々において、１回前の測定値との差が一定値（例えば、０．１２Ｄ）以下のズレで規定数以上（３個以上）の測定値が得られれば測定終了とする。Ａ値（乱視軸角度）はＣ値によってその精度が変化するため、Ｃ値が一定値（例えば、０．５Ｄ）以上であった場合に、条件を加えて有効な測定値を抽出しても良い。また、角膜曲率測定の場合と同じように標準偏差を条件としても良い。
【００５４】
このように、測定値の安定度も測定終了の条件に加えれば、より精度の高い測定結果が得られる。殊に、眼屈折力測定では、被検眼によっては雲霧の効きめが弱く、徐々にＳ値がプラス方向に変化し、安定していくという場合（遠視眼に多い）があるので、測定値の安定度を条件に加えると都合が良い。
【００５５】
なお、上述した測定終了条件の判断によりその旨を検者に知らせる機能、連続的な測定時での測定終了の機能、左右両眼の測定終了の判断によりその測定デ−タを自動的に出力（プリント出力等）する機能は、それぞれ補助スイッチ部９４が持つスイッチにより、有効／無効が選択できるようになっている（無効を選択した場合は、その機能については検者自身が判断する）。また、角膜曲率測定や眼屈折力測定におけるそれぞれの測定終了条件についても、補助スイッチ部９４が持つスイッチにより、その条件が可変設定できるようになっている。このような設定機能により、検者や患者の状態に応じて自由に使い分けができる。
【００５６】
以上、本発明を実施例に基づいて説明したが、さらに被検者が自分自身で測定を行えるようにしたフルオートタイプの装置に本発明を適用すると、非常に有用である。
【００５７】
【発明の効果】
以上説明したように、本発明によれば、装置が所定の測定終了条件に達したことを検者に知らせるので、検者は測定に集中し、精度の高い測定結果を得ることができる。
【００５８】
また、検者ごとの測定終了の判断の差が無くなるので、検者の違いにかかわらず得られる測定結果の信頼性が向上する。
【図面の簡単な説明】
【図１】実施例の装置の外観概略図を示す図である。
【図２】実施例の装置の光学系の概略配置図である。
【図３】装置の制御系の要部構成を示す図である。
【図４】測定動作を説明するフローチャート図である。
【図５】アライメント時にＴＶモニタに表示される画面例を示す図である。
【符号の説明】
３  測定部
５  ジョイスティック
６  ＴＶモニタ
１０  眼屈折力測定光学系
４５  指標検出光学系
７０  制御部
７６  表示回路
９３  メインスイッチ部
９４  補助スイッチ部
【図１】
0003649839.tif 000002
【図２】
0003649839.tif 000003
【図３】
0003649839.tif 000004
【図５】
0003649839.tif 000005
【図４】
0003649839.tif 000006